(57)【要約】【課題】従来の方法により下限周波数を補正した場合、部屋の負荷が変わった場合や、遠隔制御装置にて設定が変更された場合には必要な最低能力が確保できず、また、周波数が下がっているために負荷変化に応答性が悪くなってしまう。【解決手段】本発明の空気調和機は、室温が遠隔制御装置によって設定された温度に到達し、下限周波数を補正したのち、部屋の負荷が変更された場合や遠隔制御装置により設定が変更された場合には下限周波数の補正値を解除することを可能とした。これらの方法により、快適性を向上させるとともに、省エネ効果も実現する。【選択図】図１
2008196766.tif 000002
【特許請求の範囲】
【請求項１】
室内熱交換器、室内ファン、室外熱交換器、室外ファン、圧縮機、絞り機構、前記室内熱交換器の温度、室内気温、室外気温を検出する温度検出手段を持ち、前記圧縮機の運転周波数が可変であり、冷房、冷房除湿運転時に室内温度が遠隔制御装置により設定された室温に到達し、サーモスタットオフの発生に応じて下限周波数を補正することを可能とした空気調和機のうち、ある一定間隔ごとに室外機温度を記憶し、前回の温度と比較してその差がある規定された値よりも大きい場合に下限周波数の補正値を補正する空気調和機。
【請求項２】
室内熱交換器、室内ファン、室外熱交換器、室外ファン、圧縮機、絞り機構、前記室内熱交換器の温度、室内気温、室外気温を検出する温度検出手段を持ち、前記圧縮機の運転周波数が可変であり、冷房、冷房除湿運転時に室内温度が遠隔制御装置により設定された室温に到達し、サーモスタットオフの発生に応じて下限周波数を補正することを可能とした空気調和機のうち、遠隔制御装置により設定された室温が変更された場合、補正値を解除する空気調和機。
【請求項３】
室内熱交換器、室内ファン、室外熱交換器、室外ファン、圧縮機、絞り機構、前記室内熱交換器の温度、室内気温、室外気温を検出する温度検出手段を持ち、前記圧縮機の運転周波数が可変であり、冷房、冷房除湿運転時に室内温度が遠隔制御装置により設定された室温に到達し、サーモスタットオフの発生に応じて下限周波数を補正することを可能とした空気調和機のうち、遠隔制御装置により設定された室内ファン速が変更された場合、補正値を解除する空気調和機。
【請求項４】
室内熱交換器、室内ファン、室外熱交換器、室外ファン、圧縮機、絞り機構、前記室内熱交換器の温度、室内気温、室外気温を検出する温度検出手段を持ち、前記圧縮機の運転周波数が可変であり、冷房、冷房除湿運転時に室内温度が遠隔制御装置により設定された室温に到達し、サーモスタットオフの発生に応じて下限周波数を補正することを可能とした空気調和機のうち、遠隔制御装置によりパワフル信号が送信された場合、補正値を解除する空気調和機。
【請求項５】
室内熱交換器、室内ファン、室外熱交換器、室外ファン、圧縮機、絞り機構、前記室内熱交換器の温度、室内気温、室外気温を検出する温度検出手段を持ち、前記圧縮機の運転周波数が可変であり、冷房、冷房除湿運転時に室内温度が遠隔制御装置により設定された室温に到達し、サーモスタットオフの発生に応じて下限周波数を補正することを可能とした空気調和機のうち、室内気温が遠隔制御装置により設定された室温よりも、あらかじめ決められた値より高くなり、室温が安定していないと判定された場合、補正値を解除する空気調和機。
【発明の詳細な説明】
【技術分野】
【０００１】
本発明は、空気調和機に関するものである。
【背景技術】
【０００２】
従来、この種の空気調和機では圧縮機運転周波数は遠隔制御装置によって設定された室内温度と空気調和機の室内吸込サーミスタ検知温度を比較し変化させていた。ただし、その際、室内機からの吹出し空気の温度の上昇を抑えるために、室内ファンの回転数に応じて周波数にある特定の下限値を設けていた（例えば、特許文献１参照）。
【０００３】
しかしながら、周波数の下限値により、ある値より周波数を下げることができず、室内が十分に冷やされ遠隔制御装置によって設定された温度に到達した後では、能力過剰の状態になってしまう。そのため、頻繁にサーモスタットオフが発生してしまい、室温の上昇や凝縮水の再蒸発による湿度の上昇により快適性が悪化してしまっていた。
【０００４】
この課題を解決する一対策案として、室内吸込サーミスタ検知温度が遠隔制御装置によって設定された温度に到達した後は、サーモスタットオフの発生に応じて下限周波数を補正する方法などが考えられる。
【特許文献１】特開平８−１７８４００号公報
【発明の開示】
【発明が解決しようとする課題】
【０００５】
しかしながら、上記の方法では、室温が安定した後、下限周波数が下がった状態で、部屋の負荷が変わった場合や、遠隔制御装置にて設定が変更された場合には必要な最低能力が確保できない。また、周波数が下がっているために負荷変化に応答性が悪くなってしまう。
【課題を解決するための手段】
【０００６】
上記課題を解決するために、部屋の負荷が変更された場合や遠隔制御装置により設定が変更された場合には下限周波数の補正値を解除することを可能とした。
【発明の効果】
【０００７】
本発明により、負荷の小さい環境でのサーモスタットオフを抑え快適性を向上させるとともに、運転周波数を下げることにより省エネにもつながる。加えて、負荷変化に対する応答性も向上させ、効率的な運転が可能となり、更なる快適性の向上を可能とした。
【発明を実施するための最良の形態】
【０００８】
第１の発明は、室内吸込サーミスタ検知温度が遠隔制御装置によって設定された温度に到達した後、サーモスタットオフの発生に応じて、運転周波数の下限値を所定量補正した状態において、室外機温度を一定間隔ごとに記憶し前回記憶した値との差があらかじめ決められた値よりも大きい場合には、室外の負荷に応じて運転手周波数の下限値を補正することにより、必要な最低周波数を確保することが出来、更なる快適性の向上を可能とする。
【０００９】
第２の発明は、室内吸込サーミスタ検知温度が遠隔制御装置によって設定された温度に到達した後、サーモスタットオフの発生に応じて、運転周波数の下限値を所定量補正した状態において、遠隔制御装置により設定温度が変更された場合、補正値を解除することで、負荷に応じた運転が可能となり、更なる快適性の向上を可能とする。
【００１０】
第３の発明は、室内吸込サーミスタ検知温度が遠隔制御装置によって設定された温度に到達した後、サーモスタットオフの発生に応じて、運転周波数の下限値を所定量補正した状態において、遠隔制御装置により室内ファン速が変更された場合、補正値を解除することで、負荷に応じた運転が可能となり、更なる快適性の向上を可能とする。
【００１１】
第４の発明は、室内吸込サーミスタ検知温度が遠隔制御装置によって設定された温度に到達した後、サーモスタットオフの発生に応じて、運転周波数の下限値を所定量補正した状態において、遠隔制御装置によりパワフル信号が送信された場合、使用者が能力を必要としているので、補正値を解除することで、負荷に応じた運転が可能となり、更なる快適性の向上を可能とする。
【００１２】
第５の発明は、室内吸込サーミスタ検知温度が遠隔制御装置によって設定された温度に到達した後、サーモスタットオフの発生に応じて、運転周波数の下限値を所定量補正した状態において、室内気温が上昇し、遠隔制御装置により設定された温度との差が高くなり、室温が安定していないと判定された場合、補正値を解除することで、必要な能力を確保することが出来、更なる快適性の向上を可能とする。
【００１３】
以下、本発明の実施の形態について、図面を参照しながら説明する。なお、この実施の形態によって本発明が限定されるものではない。
【００１４】
（実施の形態１）
図１は、本発明の第１の実施の形態による空気調和機の動作を説明するためのフローチャートである。図１に示すように、運転周波数の下限値がΔＦ１だけ補正された状態で運転しているとき（ＳＴ１）、室外吸い込みサーミスタ検知温度をＴｅｍｐ１として記憶する（ＳＴ２）。その後、ＳＴ３で所定時間（Ｔ１）経過後に再び室外サーミスタ検知温度をＴ２として記憶する（ＳＴ４）。
【００１５】
ＳＴ５では、Ｔｅｍｐ２とＴｅｍｐ１の差を比較し、あらかじめ決められた温度ΔＴｅｍｐ１より大きい場合、室外気温が上昇したと判断し、必要最低能力が大きくなるので、下限周波数を所定量ΔＦ２増加させＦ２とする（ＳＴ６）。一方、ＳＴ７でＴｅｍｐ２とＴｅｍｐ１の差を比較し、あらかじめ決められた温度−ΔＴｅｍｐ２より小さい場合（ＳＴ７）室外気温が降下したと判断し、必要最低能力が小さくなるので、下限周波数を所定量ΔＦ３減少させＦ３とする（ＳＴ８）。
【００１６】
（実施の形態２）
図２は、本発明の第２の実施の形態による空気調和機の動作を説明するためのフローチャートである。図２に示すように、運転周波数の下限値がΔＦ１だけ補正された状態で運転しているとき（ＳＴ９）、ＳＴ１０で遠隔制御装置により設定温度が上げられた場合、必要能力としては小さくなるので、下限周波数は変更せず、Ｆ１のまま維持する（ＳＴ１１）。一方、ＳＴ１２で遠隔制御装置により設定温度が下げられた場合、部屋を冷やすために必要能力は増加するため、ＳＴ１３にて下限周波数の補正値を解除し、Ｆ４とする。
【００１７】
（実施の形態３）
図３は、本発明の第３の実施の形態による空気調和機の動作を説明するためのフローチャートである。図３に示すように、運転周波数の下限値がΔＦ１だけ補正された状態で運転しているとき（ＳＴ１４）、ＳＴ１５で遠隔制御装置により室内ファン速が低下した場合、必要能力としては小さくなるので、下限周波数は変更せず、Ｆ１のまま維持する（ＳＴ１６）。一方、ＳＴ１７で遠隔制御装置により室内ファン速が上昇した場合、必要能力は増加するため、ＳＴ１８下限周波数の補正値を解除し、Ｆ５とする。
【００１８】
（実施の形態４）
図４は、本発明の第４の実施の形態による空気調和機の動作を説明するためのフローチャートである。図４に示すように、運転周波数の下限値がΔＦ１だけ補正された状態で運転しているとき（ＳＴ１９）、ＳＴ２０で遠隔制御装置によりパワフル信号が送信された場合、必要能力は増加するため、ＳＴ２１下限周波数の補正値を解除し、Ｆ６とする。
【００１９】
（実施の形態５）
図５は、本発明の第５の実施の形態による空気調和機の動作を説明するためのフローチャートである。図５に示すように、運転周波数の下限値がΔＦ１だけ補正された状態で運転しているとき（ＳＴ２２）、室内吸込サーミスタ温度により検知された温度と設定温度を比較し、その差があらかじめ設定された温度ΔＴ２より大きくなり、室温が安定領域でなくなった場合（ＳＴ２３）、冷房能力が必要であるので、ＳＴ２４下限周波数の補正値を解除し、Ｆ７とする。
【産業上の利用可能性】
【００２０】
以上のように、本発明にかかる空気調和機は、居住空間の快適性を向上させかつ省エネにも繋がるので、室内、室外熱交換器、室内熱交換器温度センサと室内、室外ファンを備えた機器に応用可能である。
【図面の簡単な説明】
【００２１】
【図１】本発明の実施の形態１における空気調和機の動作フローチャート
【図２】本発明の実施の形態２における空気調和機の動作フローチャート
【図３】本発明の実施の形態３における空気調和機の動作フローチャート
【図４】本発明の実施の形態４における空気調和機の動作フローチャート
【図５】本発明の実施の形態５における空気調和機の動作フローチャート
【符号の説明】
【００２２】
ＳＴ１〜ＳＴ２４  フローチャート中のステップ
Ｆ１〜Ｆ６  圧縮機運転下限周波数
ΔＦ１〜ΔＦ３  下限周波数の補正値
Ｔ１、Ｔ２  時間
Ｔｅｍｐ１、Ｔｅｍｐ２  温度
ΔＴｅｍｐ１、ΔＴｅｍｐ２  温度差
【図１】
2008196766.tif 000003
【図２】
2008196766.tif 000004
【図３】
2008196766.tif 000005
【図４】
2008196766.tif 000006
【図５】
2008196766.tif 000007